(57)【要約】【課題】地震の発生時において合い鍵を必要とせず、地震の揺れを感知して自動的に解錠し、例えば防災倉庫なら防災機器を直ちに取り出すことがリモコンでも可能な地震自動解錠装置の感震駆動装置を提供する。【解決手段】地震自動解錠装置の感震駆動装置の前記施解錠装置を解錠と施錠とを行うことができるアプリケーションを備えたリモコンに予め設定された暗証番号を入力して所定の操作をすることで、地震自動解錠装置の前記施解錠装置の解錠が行えるリモコン解錠手段と前記施解錠装置の施錠が行えるリモコン施錠手段とからなるリモコン施解錠手段を設けたことにより、上記課題を解決している。【選択図】図２
2017066841.tif 000002
【特許請求の範囲】
【請求項１】
錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とをベースに設けた感震駆動装置の前記施解錠装置を解錠と施錠とを行うことができるアプリケーションを備えたリモコンに予め設定された暗証番号を入力して所定の操作をすることで、地震自動解錠装置の前記施解錠装置の解錠が行えるリモコン解錠手段と前記施解錠装置の施錠が行えるリモコン施錠手段とからなるリモコン施解錠手段を設けたことを特徴とする地震自動解錠装置。
【請求項２】
前記リモコン施解錠手段は、前記リモコンからの解錠信号により、前記保持手段が前記駆動手段を保持している前記感震駆動装置の保持状態を解除するリモコン解錠手段と、前記リモコンからの施錠信号により、前記保持手段が前記駆動手段を保持するように作動して前記感震駆動装置を施錠するリモコン施錠手段とから構成されている請求項１に記載の地震自動解錠装置。
【請求項３】
前記リモコン解錠手段は、前記リモコンからの解錠信号により駆動されるソレノイドと、前記ソレノイドにより操作されて前記駆動ばねを付勢させた状態の前記駆動手段を保持する保持手段を操作して前記保持手段が前記駆動手段を保持している保持状態を解除するものである請求項１又は請求項２のいずれか１項に記載の地震自動解錠装置。
【請求項４】
前記リモコン施錠手段は、前記リモコンからの施錠信号により駆動されるソレノイドと、前記ソレノイドにより操作されて前記駆動手段に設けたセット用ギヤに噛合するピニオンギヤをセット用ギヤに噛合する位置まで移動させる移動手段と、前記ピニオンギヤを回転させて前記駆動手段を回転させる回転駆動手段とを備えている請求項１又は請求項２のいずれか１項に記載の地震自動解錠装置。
【請求項５】
錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とを前記ベースの表面に配設し、前記リモコン解錠手段の前記ソレノイドを前記ベースの裏面に配設し、前記駆動ばねを付勢させた状態の前記駆動手段を保持する保持手段を操作する跳ね上げレバーを前記ベースに形成された開口部に挿入される解錠レバー軸を介して前記ベースの表面側に前記ソレノイドの動作を伝達した請求項３に記載の地震自動解錠装置。
【請求項６】
錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とを前記ベースの表面に配設し、前記リモコン施錠手段の前記リモコンからの施錠信号により駆動されて前記駆動手段に設けたセット用ギヤに噛合するピニオンギヤを回転駆動させる回転駆動手段と、前記ピニオンギヤを前記セット用ギヤに噛合する位置に移動させる移動手段とを前記ベースの裏面に配設し、前記ソレノイドにより操作されて前記ピニオンギヤを前記ベースに形成された開口部を介して前記ベースの表面側のセット用ギヤに噛合する位置まで移動させた請求項４に記載の地震自動解錠装置。
【請求項７】
前記リモコン施錠手段は、前記保持手段を構成するストッパーアームのフック部の凹所に前記駆動手段に設けられたストッパーが完全に嵌合するようタイマー及び前記回転駆動手段により前記ピニオンギヤを所定時間回転駆動する請求項４又は請求項６のいずれか１項に記載の地震自動解錠装置。
【請求項８】
前記施解錠装置は、索条の一端部が固定されるスライド板と、施錠状態で前記スライド板を索条の一端部側に付勢するばね体と、前記スライド板に固定された断面形状Ｌ字形の規制板と、地震解錠ボックス本体に設けられた鍵の操作により回動される解錠押金と、前記スライド板をスライド自在に支持する長溝がスライド方向に形成された支持板と、前記地震解錠ボックス本体の扉を地震解錠ボックス本体に係止する係止棒と、前記係止棒にて扉を前記地震解錠ボックス本体に係止したり係止状態を解除するハンドルに固定された錠止板と、前記錠止板に固定されて施錠状態では前記規制板に当接してハンドルの操作を阻止し、解錠状態では前記規制板に当接しないでハンドルの操作を可能とし、扉を開くことを可能とする掛止片と、前記係止棒の上下動をガイドする案内部とで構成されている請求項１乃至請求項７のいずれか１項に記載の地震自動解錠装置。
【発明の詳細な説明】
【技術分野】
【０００１】
本発明は、物置小屋や前記物置小屋の鍵を保管した鍵保管ボックスなどの錠や貫抜からなる錠を地震発生と同時に自動的に解錠する地震自動解錠装置に関するものである。
【背景技術】
【０００２】
従来、地震発生時に使用する救命救急器具等の防災用品は、町内会や自治会等が共同で管理する物置小屋に保管されており、物置小屋の合鍵を複数の人間が管理する方法が一般的であるが、地震発生時に速やかに合鍵を持って保管小屋の解錠をしなければ、防災用品の使用ができないという問題があった。また、避難場所に出入りする扉に貫抜が設けられるとともに、貫抜に南京錠が設けられている場合、貫抜を解錠する合鍵を町内会や自治会等の複数の人間が管理する方法が一般的であるが、地震発生時に速やかに合鍵を持って避難場所への扉を開放しなければ、避難できないという問題があった。
【０００３】
上記問題点を解消すべく、本件特許の発明者は、例えば、特許文献１乃至４に開示されているような地震自動解錠装置を提案した。このものは、地震発生時以外に物置小屋などの錠を解錠・施錠するには合鍵を必要とし、合鍵を管理している管理者を呼ぶか管理者から合鍵を借りてくるとともに返却しなければならないという問題点があった。
【先行技術文献】
【特許文献】
【０００４】
【特許文献１】特開２０１０−２２２８４３号公報
【特許文献２】特開２０１１−１７８８号公報
【特許文献３】特開２０１４−８４６６０号公報
【特許文献４】登録実案第３１４８８１０号公報
【発明の概要】
【発明が解決しようとする課題】
【０００５】
本発明は、上記問題点に鑑みてなされたものであり、地震自動解錠装置の機能を利用して地震が発生すると同時に物置小屋や物置小屋の鍵を保管した鍵保管ボックスなどの錠を解錠して救命救急器具等の防災用品を必要に応じて物置小屋から持ち出したり、避難場所に入ることが可能であるとともに、地震発生時以外でも合鍵を用意しなくても地震自動解錠装置の解錠と施錠とを行うことができる地震自動解錠装置を提供することを目的とする。
【課題を解決するための手段】
【０００６】
上記課題を解決するため、本発明の地震自動解錠装置は、錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とをベースに設けた感震駆動装置の前記施解錠装置を解錠と施錠とを行うことができるアプリケーションを備えたリモコンに予め設定された暗証番号を入力して所定の操作をすることで、地震自動解錠装置の前記施解錠装置の解錠が行えるリモコン解錠手段と前記施解錠装置の施錠が行えるリモコン施錠手段とからなるリモコン施解錠手段を設けたことを特徴とする。
【０００７】
又、本発明にあっては、前記リモコン施解錠手段は、前記リモコンからの解錠信号により、前記保持手段が前記駆動手段を保持している前記感震駆動装置の保持状態を解除するリモコン解錠手段と、前記リモコンからの施錠信号により、前記保持手段が前記駆動手段を保持するように作動して前記感震駆動装置を施錠するリモコン施錠手段とから構成されていることが望ましい。
【０００８】
又、本発明にあっては、前記リモコン解錠手段は、前記リモコンからの解錠信号により駆動されるソレノイドと、前記ソレノイドにより操作されて前記駆動ばねを付勢させた状態の前記駆動手段を保持する保持手段を操作して前記保持手段が前記駆動手段を保持している保持状態を解除するものであることが望ましい。
【０００９】
又、本発明にあっては、前記リモコン施錠手段は、前記リモコンからの施錠信号により駆動されるソレノイドと、前記ソレノイドにより操作されて前記駆動手段に設けたセット用ギヤに噛合するピニオンギヤをセット用ギヤに噛合する位置まで移動させる移動手段と、前記ピニオンギヤを回転させて前記駆動手段を回転させる回転駆動手段とを備えていることが望ましい。
【００１０】
又、本発明にあっては、錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とを前記ベースの表面に配設し、前記リモコン解錠手段の前記ソレノイドを前記ベースの裏面に配設し、前記駆動ばねを付勢させた状態の前記駆動手段を保持する保持手段を操作する跳ね上げレバーを前記ベースに形成された開口部に挿入される解錠レバー軸を介して前記ベースの表面側に前記ソレノイドの動作を伝達していることが望ましい。
【００１１】
又、本発明にあっては、錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とを前記ベースの表面に配設し、前記リモコン施錠手段の前記リモコンからの施錠信号により駆動されて前記駆動手段に設けたセット用ギヤに噛合するピニオンギヤを回転駆動させる回転駆動手段と、前記ピニオンギヤを前記セット用ギヤに噛合する位置に移動させる移動手段とを前記ベースの裏面に配設し、前記ソレノイドにより操作されて前記ピニオンギヤを前記ベースに形成された開口部を介して前記ベースの表面側のセット用ギヤに噛合する位置まで移動させたことが望ましい。
【００１２】
又、本発明にあっては、前記リモコン施錠手段は、前記保持手段を構成するストッパーアームのフック部の凹所に前記駆動手段に設けられたストッパーが完全に嵌合するようタイマー及び前記回転駆動手段により前記ピニオンギヤを所定時間回転駆動することが望ましい。
【００１３】
又、本発明にあっては、前記施解錠装置は、索条の一端部が固定されるスライド板と、施錠状態で前記スライド板を索条の一端部側に付勢するばね体と、前記スライド板に固定された断面形状Ｌ字形の規制板と、地震解錠ボックス本体に設けられた鍵の操作により回動される解錠押金と、前記スライド板をスライド自在に支持する長溝がスライド方向に形成された支持板と、前記地震解錠ボックス本体の扉を地震解錠ボックス本体に係止する係止棒と、前記係止棒にて扉を前記地震解錠ボックス本体に係止したり係止状態を解除するハンドルに固定された錠止板と、前記錠止板に固定されて施錠状態では前記規制板に当接してハンドルの操作を阻止し、解錠状態では前記規制板に当接しないでハンドルの操作を可能とし、扉を開くことを可能とする掛止片と、前記係止棒の上下動をガイドする案内部とで構成されていることが望ましい。
【発明の効果】
【００１４】
本発明の地震自動解錠装置の感震駆動装置は、錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とをベースに設けた感震駆動装置の前記施解錠装置を解錠と施錠とを行うことができるアプリケーションを備えたリモコンに予め設定された暗証番号を入力して所定の操作をすることで、地震自動解錠装置の前記施解錠装置の解錠が行えるリモコン解錠手段と前記施解錠装置の施錠が行えるリモコン施錠手段とからなるリモコン施解錠手段を設けたことを特徴とするものであるから、地震が発生すると同時に物置小屋や物置小屋の鍵を保管した鍵保管ボックスの錠を自動で解錠して避難所等の合鍵や救命救急器具等の防災用品を必要に応じて物置小屋から持ち出したり、避難場所を開放することが可能となるという効果があり、更に、必要に応じて地震発生時以外でも合鍵を用意して物置小屋や物置小屋の鍵を保管した鍵保管ボックスの錠を解錠、施錠することができるという効果があり、更に、地震発生時以外でも合鍵を用意しなくても地震自動解錠装置の感震駆動装置を解錠と施錠とを行うことができるアプリケーションを備えたスマートホーンのようなリモコンに所定の暗証番号を入力することでリモコンを用いて地震自動解錠装置の感震駆動装置の解錠と施錠を行うことができるとともに、誰でもが解錠できないのでセキュリティ上好ましいという効果がある。
【００１５】
又、請求項２のように、前記リモコン施解錠手段は、前記リモコンからの解錠信号により、前記保持手段が前記駆動手段を保持している前記感震駆動装置の保持状態を解除するリモコン解錠手段と、前記リモコンからの施錠信号により、前記保持手段が前記駆動手段を保持するように作動して前記感震駆動装置を施錠するリモコン施錠手段とから構成されているものは、リモコンの簡単な操作で前記感震駆動装置の保持状態を解除したり、前記感震駆動装置を施錠することができるという効果がある。
【００１６】
又、請求項３のように、前記リモコン解錠手段は、前記リモコンからの解錠信号により駆動されるソレノイドと、前記ソレノイドにより操作されて前記駆動ばねを付勢させた状態の前記駆動手段を保持する保持手段を操作して前記保持手段が前記駆動手段を保持している保持状態を解除するものは、簡単な構造でリモコンからの解錠信号により、感震駆動装置の保持状態を解除することができ、製造が簡単であるとともに安価にできるという効果がある。
【００１７】
又、請求項４のように、前記リモコン施錠手段は、前記リモコンからの施錠信号により駆動されるソレノイドと、前記ソレノイドにより操作されて前記駆動手段に設けたセット用ギヤに噛合するピニオンギヤをセット用ギヤに噛合する位置まで移動させる移動手段と、前記ピニオンギヤを回転させて前記駆動手段を回転させる回転駆動手段とを備えているものは、簡単な構造でリモコンからの施錠信号により、感震駆動装置を施錠状態にすることができ、製造が簡単であるとともに安価にできるという効果がある。
【００１８】
又、請求項５のように、錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とをベースに設けた感震駆動装置の前記ベースの表面に配設し、前記リモコン解錠手段の前記ソレノイドを前記ベースの裏面に配設し、前記駆動ばねを付勢させた状態の前記駆動手段を保持する保持手段を操作する跳ね上げレバーを前記ベースに形成された開口部に挿入される解錠レバー軸を介してベースの表面側に前記ソレノイドの動作を伝達したものは、出願人が既に製造販売している地震自動解錠装置のベースに開口部を形成するだけで、ベースの表面側と裏面側にリモコン解錠手段の構成部品のスペースを考慮して配置しているので、出願人が既に製造販売している地震自動解錠装置をそのまま使用できるという効果がある。
【００１９】
又、請求項６のように、錠を施錠した状態と解錠した状態とに切替える施解錠装置に一端が連結された索条の他端が連結される駆動手段と、前記駆動手段を施解錠装置の解錠位置から施錠位置に移動させることにより付勢される駆動ばねと、前記駆動ばねを付勢させた状態で前記駆動手段を保持する保持手段と、前記保持手段を操作して前記保持手段が前記駆動手段を保持している施錠状態を解除する解除手段と、前記解除手段を操作する操作手段と、前記操作手段に設けられて地震の振動により少なくとも上下動又は揺動する錘とをベースに設けた感震駆動装置の前記ベースの表面に配設し、前記リモコン施錠手段の前記リモコンからの施錠信号により駆動されて前記駆動手段に設けたセット用ギヤに噛合するピニオンギヤを回転駆動させる回転駆動手段と、前記ピニオンギヤを前記セット用ギヤに噛合する位置に移動させる移動手段とを前記ベースの裏面に配設し、前記ソレノイドにより操作されて前記ピニオンギヤを前記ベースに形成された開口部を介して前記ベースの表面側のセット用ギヤに噛合する位置まで移動させたものは、出願人が既に製造販売している地震自動解錠装置のベースに開口部を形成するだけで、ベースの表面側と裏面側にリモコン施錠手段の構成部品のスペースを考慮して配置しているので、出願人が既に製造販売している地震自動解錠装置をそのまま使用できるという効果がある。
【００２０】
又、請求項７のように、前記リモコン施錠手段は、前記保持手段を構成するストッパーアームのフック部の凹所に前記駆動手段に設けられたストッパーが完全に嵌合するようタイマー及び前記回転駆動手段により前記ピニオンギヤを所定時間回転駆動するものは、ストッパーアームのフック部の凹所の所定位置にストッパーを嵌合させることができ、地震自動解錠装置が作動する地震の大きさに対応する設定値が変化しないという効果がある。
【００２１】
又、請求項８のように、前記施解錠装置は、索条の一端が連結される施解錠装置は、索条の一端部が固定されるスライド板と、施錠状態で前記スライド板を索条の一端部側に付勢するばね体と、前記スライド板に固定された断面形状Ｌ字形の規制板と、地震解錠ボックス本体に設けられた鍵の操作により回動される解錠押金と、前記スライド板をスライド自在に支持する長溝がスライド方向に形成された支持板と、前記地震解錠ボックス本体の扉を地震解錠ボックス本体に係止する係止棒と、前記係止棒にて扉を前記地震解錠ボックス本体に係止したり係止状態を解除するハンドルに固定された錠止板と、前記錠止板に固定されて施錠状態では前記規制板に当接してハンドルの操作を阻止し、解錠状態では前記規制板に当接しないでハンドルの操作を可能とし、扉を開くことを可能とする掛止片と、前記係止棒の上下動をガイドする案内部とで構成されているものは、簡単な構造で施解錠装置が構成されており、組み立てが容易であるとともに、故障が少なく確実に動作するという効果がある。
【図面の簡単な説明】
【００２２】
【図１】本発明の感震駆動装置の一実施例を左斜め方向より見た斜視図である。
【図２】本発明の感震駆動装置の一実施例を右斜め方向より見た斜視図である。
【図３】本発明の同上の実施例におけるリモコン施解錠手段を右斜め方向より見た斜視図である。
【図４】本発明の同上の実施例におけるリモコン施解錠手段を左斜め方向より見た斜視図である。
【図５】本発明の同上の実施例におけるリモコン施解錠手段の正面図である。
【図６】本発明の同上の実施例におけるリモコン施解錠手段の側面図である。
【図７】本発明の感震駆動装置と合鍵を収納する鍵保管ボックスの扉を閉じた状態の外観斜視図である。
【図８】本発明の同上の鍵保管ボックスにおける外観斜視図で扉を開く状態の使用状態図（１）である。
【図９】本発明の同上の鍵保管ボックスにおける外観斜視図で扉を開く状態の使用状態図（２）である。
【図１０】本発明の同上の鍵保管ボックスの施錠状態を示す内部斜視図である。
【図１１】本発明の同上の鍵保管ボックスの解錠状態を示す内部斜視図である。
【図１２】本発明の同上の鍵保管ボックスの扉開放状態を示す外観斜視図である。
【図１３】本発明の同上の鍵保管ボックスの施錠状態を示す施解錠装置の正面図である。
【図１４】本発明の同上の鍵保管ボックスの解錠状態を示す施解錠装置の正面図である。
【図１５】本発明の同上の鍵保管ボックスの扉開放状態を示す施解錠装置の正面図である。
【図１６】本発明の施解錠装置の解錠状態を示す要部の概略図である。
【図１７】本発明の施解錠装置の施錠状態を示す要部の概略図である。
【図１８】本発明の同上の実施例におけるリモコン施解錠手段の回路図である。
【図１９】本発明の同上の実施例におけるリモコン施解錠手段のシステム図である。
【図２０】本発明の同上の実施例におけるリモコンの画面図である。
【図２１】本発明の同上の実施例におけるリモコンの初期化処理フロー図である。
【図２２】本発明の同上の実施例におけるリモコンの初期化の概略フロー図である。
【図２３】本発明の同上の実施例におけるリモコンの定期処理フロー図である。
【図２４】本発明の同上の実施例におけるリモコンのアプリケーション表示メッセージである。
【図２５】図２５Ａは、アンドロイド（登録商標）ＯＳを搭載した携帯電話におけるアプリ起動後の画面図であり、図２５ＢはｉＯＳ（登録商標）を搭載したスマートフォンにおけるアプリ起動後の画面図である。
【図２６】図２６Ａは、アンドロイド（登録商標）ＯＳを搭載した携帯電話におけるパスワード入力用の画面図であり、図２６ＢはｉＯＳ（登録商標）を搭載したスマートフォンにおけるパスワード入力用の画面図である。
【図２７】図２７Ａは、アンドロイド（登録商標）ＯＳを搭載した携帯電話における施解錠操作画面図であり、図２７ＢはｉＯＳ（登録商標）を搭載したスマートフォンにおける施解錠操作画面図である。
【図２８】図２８Ａは、アンドロイド（登録商標）ＯＳを搭載した携帯電話におけるパスワード認証画面図であり、図２８ＢはｉＯＳ（登録商標）を搭載したスマートフォンにおけるパスワード認証画面図である。
【発明を実施するための形態】
【００２３】
以下、本発明の好ましい実施の形態について詳細に説明する。
【００２４】
地震自動解錠装置Ａの感震駆動装置１は、物置小屋や前記物置小屋の鍵を保管した鍵保管ボックスなどの錠や貫抜からなる錠を施錠した状態と解錠した状態とに切替える施解錠装置Ｂに一端が連結された索条Ｓの他端が連結される駆動手段２と、駆動手段２を施解錠装置Ｂの解錠位置から施錠位置に移動させることにより付勢される駆動ばね３と、駆動ばね３を付勢させた状態で駆動手段２を保持する保持手段４と、保持手段４を揺動自在に取り付ける軸支部５と、保持手段４を操作して保持手段４が前記駆動手段２を保持している保持状態を解除する解除手段６と、前記解除手段６を操作する操作手段７と、操作手段７に設けられて地震の振動により少なくとも上下動又は揺動する錘８とをベース９に設けた地震自動解錠装置Ａの感震駆動装置１の施解錠装置Ｂを解錠と施錠とを行うことができるアプリケーションを備えたリモコンＲに予め設定された暗証番号を入力して所定の操作をすることで、地震自動解錠装置Ａの施解錠装置Ｂの解錠が行えるリモコン解錠手段１０と施解錠装置Ｂの施錠が行えるリモコン施錠手段１１とからなるリモコン施解錠手段１２を設けている。
【００２５】
リモコン施解錠手段１２は、リモコンＲからの解錠信号により、保持手段４が駆動手段２を保持している感震駆動装置１の保持状態を解除するリモコン解錠手段１０と、リモコンＲからの施錠信号により、保持手段４が駆動手段２を保持するように作動して感震駆動装置１を施錠するリモコン施錠手段１１からなっている。
【００２６】
駆動手段２は、円形の金属板で形成されており、駆動手段２の支軸１３がベアリングを介してベース９に回動自在に取り付けられている。駆動手段２は、円形の金属板で形成したが、合成樹脂材でも構わないものである。ベース９は、四角形の金属板で形成されており、取付穴１４を有する取付脚１５が４隅に形成されている。
【００２７】
駆動ばね３は、駆動手段２の時計方向の回転により付勢されるものであり、一端がベース９に設けられた駆動ばねポスト（下）１６に支持されるとともに、他端が駆動手段２に設けられた駆動ばねポスト（上）１７に支持されている。駆動ばね３は、引っ張りコイルばねを実施例としているが、ねじりコイルばねを使用しても構わないものであり、駆動手段２の支軸１３にねじり部が取り付けられるとともに、ねじりコイルばねの一端をベース９に保持し、ねじりコイルばねの他端を駆動手段２に保持すれば良いものである。
【００２８】
保持手段４は、駆動ばね３を付勢させた状態で駆動手段２に設けたストッパー１８に係止するフック部１９を形成したストッパーアーム２０と、ストッパーアーム２０とストッパー１８とが弾接する方向に付勢する復帰ばね２１とで構成されており、ストッパーアーム２０でストッパー１８に係止している。
【００２９】
ストッパーアーム２０は、薄厚の金属板で形成されており、ベース９に立設された軸支部５に揺動自在に支持されている。
【００３０】
復帰ばね２１は、一端がベース９に設けられた支持ポスト２２に支持されるとともに、他端がストッパーアーム２０に設けられたばね取付穴２３に取付けられている。
【００３１】
ストッパーアーム２０にはストッパーアーム２０を押し上げてストッパーアーム２０とストッパー１８との係止を解除する解除手段６の押上棒２４の先端が当接されており、解除手段６は、ストッパーアーム２０を押し上げてストッパーアーム２０とストッパー１８との係止を解除する押上棒２４と、押上棒２４の移動を案内する押上棒ガイド２５と、押上棒２４を中心位置に立設した受動板２６とで構成されている。
【００３２】
押上棒２４は、コ字状の押上棒ガイド２５のガイド片２７、２８で案内され、押上棒ガイド２５はガイド止ネジ２９によりベース９に固定されている。押上棒２４は、押上棒ガイド２５の一対のガイド片２７、２８にそれぞれ形成された貫通孔３０に挿入されており、上下方向に移動自在に案内されている。
【００３３】
押上棒２４は、薄板で円盤状の受動板２６の中心位置に垂直方向に立設されている。
【００３４】
受動板２６の下面には操作手段７の円盤状の操作部３１が当接している。受動板２６は、操作部３１の揺動に追従して上下動するものであり、押上棒２４により、ストッパーアーム２０を押し上げるようになっている。
【００３５】
操作部３１には吊下軸３２が固定されている。吊下軸３２を揺動自在に支持するＬ字型の錘受台３３がベース９に取付ネジ３４により固定されている。吊下軸３２が吊下軸３２よりも径大に形成された開口穴３５に揺動自在に挿入されている。吊下軸３２の上部中間位置には球面スラスト３６が固定されており、吊下軸３２がスムーズに揺動するように構成されている。球面スラスト３６は、半球状、球状、円錐状のように、開口穴３５に対し、スムーズに吊下軸３２が揺動するようにした形状が望ましいものである。
【００３６】
吊下げ軸３２には錘８が取り付けられており、地震の揺れで錘８が上下方向、左右方向に揺動すると、操作部３１により受動板２６を垂直方向に押し上げるように構成されている。
【００３７】
錘８は、錘８を上下左右動自在に支持する錘受台３３の開口穴３５を支点として上下左右動自在に支持されている。
【００３８】
操作手段７は、操作部３１と、操作部３１の下端に固定された吊下軸３２と、錘８と、錘８と別体に形成された円筒状の操作筒３７と、吊下軸３２の下端に螺着されたねじ３８と、錘８とねじ３８との間に介在されて錘を上方に付勢するばね体３９とで構成されており、操作筒３７が錘８の上下動を案内する案内手段となっている。錘８の中心に形成された貫通孔３０に吊下軸３２が挿入されており、コイルばね状のばね体３９も吊下軸３２に挿入されている。ばね体３９が設けられているものは、錘８が吊下軸３２に案内されて上下動すると、錘８の重量によりばね体３９が付勢され、その反動で錘８が跳ね上げられて操作筒３７を操作する。操作筒３７が錘８により上方に押上げられると、受動板２６を操作するため、横揺れと同様、解除手段６により保持手段４を操作して保持手段４が駆動手段２を保持している保持状態を解除することができる。錘８は、解錠に必要な重量に設定されるとともに、ばね体３９も錘８を跳ね上げることができるばね力に設定されている。
【００３９】
操作筒３７は、錘８と一体的に形成されていても構わないものである。また、ねじ３８に代えて吊下軸３２に膨大部６１を形成して錘８等の落下を防止しても構わないものである。また、錘８の下端とねじ３８との間にばね体３９を介在したが、これに代えて、錘８を引き上げるばね体３９を錘の上部に設けても構わないものである。また、受動板２６と操作部３１との間に揺動自在な揺動部材を介在させることにより、錘８が下方に降下することにより操作部３１を降下させ揺動部材の揺動運動を利用して受動板２６を押上げるようにしても構わないものである。
【００４０】
地震が発生していない状態では、ばね体３９は、錘８の重量を受けて少し圧縮されている。上下方向の揺れの地震が発生した時の錘８は地震の揺れに対応して下方に移動し、ばね体３９は、錘８の重量を受けて大きく圧縮される。錘８により大きく圧縮された反動で錘８が跳ね上げられると、操作筒３７及び操作手段７の操作部３１を操作し、操作部３１と対面して設けられた受動板２６が押し上げられるのである。ばね体３９が無い場合は、錘８は地震の揺れに対応して上下動するだけであり、スムーズに操作筒３７及び操作手段７の操作部３１を操作できないものである。
【００４１】
ストッパーアーム２０と押上棒２４との間には感震駆動装置１の感度を調整する調整装置４０が設けられている。
【００４２】
セットハンドル４１は、駆動手段２に固着されており、セットハンドル４１を手で回転することで軸支部５に回動自在に軸支されたストッパー１８をストッパーアーム２０のフック部１９に係止するものである。ストッパー１８は、駆動手段２に垂直方向に立設されている。
【００４３】
ストッパー１８がフック部１９から開放されると、駆動手段２が駆動ばね３の付勢により駆動ばね３により引っ張られている方向に回転する。索条Ｓが解錠に必要な牽引長さ以上に牽引されることを防ぐため、駆動手段２に回転止板４２を固着し、回転止板４２に回転止具４２ａを配設し、ベース９に回転受板４３を固着して駆動手段２の回転角度を一定の位置で停止するようにしている。
【００４４】
リモコン解錠手段１０の機構部は、ベース９の裏面に配設された解錠用ソレノイド４４と、解錠用ソレノイド４４に設けられた可動鉄心４５と、可動鉄心４５により跳ね上げられる解錠レバー４６と、解錠レバー４６を回動自在に支持する解錠レバー軸４７と、ベース９の表面に配設され解錠レバー軸４７に回動自在に支持された跳ね上げレバー４８とを備えており、リモコンＲからの解錠信号により、解錠用ソレノイド４４が駆動され、可動鉄心４５、解錠レバー４６、解錠レバー軸４７、跳ね上げレバー４８を介してストッパーアーム２０の端縁４９を跳ね上げるのであり、その結果、ストッパーアーム２０とストッパー１８との係止状態が解除されるのである。解錠レバー軸４７は、ベース９に形成された第１の開口部５０に回動自在に挿入されており、解錠レバー４６と跳ね上げレバー４８とを解錠レバー軸４７の両端から挿入することにより、解錠レバー軸４７をベース９に保持するとともに、解錠レバー４６と跳ね上げレバー４８とを所定の位置に配設し、解錠レバー４６と跳ね上げレバー４８とを同一方向に同一角度可動できるようにしている。解錠レバー４６と跳ね上げレバー４８とは解錠レバー軸４７に止めねじなどにより個々に固定されている。実施例では解錠レバー４６と跳ね上げレバー４８とが別体のものについて説明したが、連結円筒部を介して解錠レバーと跳ね上げレバーとを一体的に形成し、解錠レバー軸に止めねじなどにより固定しても構わないものであり、ベース９に形成された第１の開口部５０に連結円筒部が回動自在に挿入され、解錠用ソレノイド４４の動作に追従して跳ね上げレバーによりストッパーアーム２０とストッパー１８との係止状態が解除されるものである。
【００４５】
リモコン施錠手段１１の機構部は、ベース９の裏面に配設された施錠用ソレノイド５１と、施錠用ソレノイド５１に設けられた可動鉄心５２と、可動鉄心５２に支軸５３を介して揺動自在に連結された連結幹５４と、連結幹５４に一端が軸支されるとともにギヤ軸受５５にギヤ軸受５５から突出した状態にねじにより取り付けられた基板５６に折曲部５７が揺動自在に軸支されたＬ字状のピニオンギヤ押下げアーム５８と、ピニオンギヤ押下げアーム５８の円弧状の先端でベース９方向に押圧されるピニオンギヤ軸５９と、ピニオンギヤ軸５９を摺動自在に支持する対となった支持突起６０が対面して形成されたギヤ軸受５５と、ピニオンギヤ軸５９の基端に形成された抜け止め用の膨大部６１との間に保持されてピニオンギヤ軸５９を基端側に付勢する戻しばね６２と、ピニオンギヤ軸５９に固定されるとともに支持突起６０、６０間に設けられたホイールギヤ６３と、ピニオンギヤ軸５９の先端に固定されベース９に形成された第２の開口部６４からベース９の表面側に突出するピニオンギヤ６５と、ホイールギヤ６３に噛合するウオームギヤ６６と、ウオームギヤ６６を回転駆動するモータ６７と、モータ６７を保持するモータホルダ６８と、ピニオンギヤ６５が噛合するセット用ギヤ６９と、ベース９の表面に配設されたマイクロスイッチ７０と、マイクロスイッチ７０を操作するカム７１を備えている。セット用ギヤ６９及びカム７１は、駆動手段２に設けられている。ギヤ軸受５５及びモータホルダ６８はねじ７２によりベース９に固定されている。ベース９の表面側４隅に突出して形成したカバー取付部７３にはカバー７４がねじで取り付けられ、その後にセットハンドル４１が支軸１３に形成されたねじ部に螺着される。セット用ギヤ６９は駆動手段２にねじで取り付けられている。図４において、セット用ギヤ６９がベース９の裏面側に設けられているように図示したが、ピニオンギヤ６５との関係を示すためにベース９の裏面側に図示したものであり、駆動手段２及びセット用ギヤ６９はベース９の表面側に設けられている。実施例は、第２の開口部６４の内径をピニオンギヤ６５の外形よりも大きくしているが、このようにすることで、ベース９の裏側からピニオンギヤ軸５９に取り付けたピニオンギヤ６５をベース９の表側に突出させることが可能であり、組み立てが容易にできるという効果があり、更に、第２の開口部６４内にピニオンギヤ６５を収納させることで、薄型を図ることができるという効果がある。尚、第２の開口部６４の内径をピニオンギヤ軸５９の外形よりも大きくすれば、ベース９の表側に突出させたピニオンギヤ軸５９にピニオンギヤ６５を取り付けることができる。回転駆動手段７５は、モータ６７とウオームギヤ６６とホイールギヤ６３とピニオンギヤ軸５９とギヤ軸受５５とモータホルダ６８とで構成されている。移動手段７６は、施錠用ソレノイド５１と可動鉄心５２と支軸５３と連結幹５４と基板５６とピニオンギヤ押下げアーム５８とピニオンギヤ軸５９と戻しばね６２とで構成されている。
【００４６】
リモコン解錠手段１０の機構部の解錠用ソレノイド４４と、可動鉄心４５と、解錠レバー４６と、解錠レバー軸４７とをベース９の取付脚１５から突出しないようにベース９の裏面に配設し、跳ね上げレバー４８をベース９のカバー取付部７３から突出しないように配置されるとともに構成されている。また、リモコン施錠手段１１の機構部の施錠用ソレノイド５１と、可動鉄心５２と、連結幹５４と、ギヤ軸受５５、基板５６と、Ｌ字状のピニオンギヤ押下げアーム５８と、ピニオンギヤ軸５９と、戻しばね６２と、ホイールギヤ６３と、ピニオンギヤ６５と、ウオームギヤ６６と、モータ６７と、モータホルダ６８とをベース９の取付脚１５から突出しないようにベース９の裏面に配設し、セット用ギヤ６９と、マイクロスイッチ７０と、カム７１をカバー取付部７３から突出しないように配置されるとともに構成されている。ピニオンギヤ軸５９をベース９の方向に移動させる機構と、ピニオンギヤ軸５９を回転させる機構とを位置をずらせて配設するとともに、Ｌ字状のピニオンギヤ押下げアーム５８を用いることでリモコン施錠手段１１の機構部の高さが高くなるのを防止している。
【００４７】
解錠用ソレノイド４４が駆動され、可動鉄心４５、解錠レバー４６、解錠レバー軸４７、跳ね上げレバー４８を介してストッパーアーム２０の端部を跳ね上げるのであり、その結果、ストッパーアーム２０とストッパー１８との係止状態が解除されるのである。解錠レバー軸４７は、ベース９に形成された第１の開口部５０に回動自在に挿入されており、解錠レバー４６と跳ね上げレバー４８とを解錠レバー軸４７の両端から挿入することにより、解錠レバー軸４７をベース９に保持するとともに、解錠レバー４６と跳ね上げレバー４８とを所定の位置に配設し、解錠レバー４６と跳ね上げレバー４８とを同一方向に同一角度で可動できるようにしている。ベース９に形成された第１の開口部５０に挿入される解錠レバー軸４７を介してベース９の表面側にソレノイド４４の動作が伝達される。解錠レバー４６と跳ね上げレバー４８とは解錠レバー軸４７に止めねじなどにより個々に固定されている。実施例では解錠レバー４６と跳ね上げレバー４８とが別体のものについて説明したが、連結円筒部を介して解錠レバーと跳ね上げレバーとを一体的に形成し、解錠レバー軸に止めねじなどにより固定しても構わないものであり、ベース９に形成された第１の開口部５０に連結円筒部が回動自在に挿入され、解錠用ソレノイド４４の動作に追従して跳ね上げレバー４８によりストッパーアーム２０とストッパー１８との係止状態が解除される。
【００４８】
リモコンＲからの施錠信号により、施錠用ソレノイド５１とモータ６７に同時に通電され、施錠用ソレノイド５１とモータ６７が同時に駆動される。
【００４９】
施錠用ソレノイド５１が駆動され、可動鉄心５２、連結幹５４、ピニオンギヤ押下げアーム５８を介してピニオンギヤ軸５９はセット用ギヤ６９側に移動し、ピニオンギヤ６５はセット用ギヤ６９に噛合する。モータ６７が駆動されると、ウオームギヤ６６と噛合するホイールギヤ６３が回転し、ピニオンギヤ軸５９を回転させるのであり、ピニオンギヤ６５と噛合するセット用ギヤ６９を回転させるのである。セット用ギヤ６９が回転すると、駆動手段２も回転するのであり、ストッパーアーム２０がストッパー１８に係止する位置であって、カム７１がマイクロスイッチ７０を操作する位置まで回転するのであるが、ストッパーアーム２０のフック部１９の凹所にストッパー１８が完全に嵌合するよう図１８の回路のように構成してタイマーにより３秒間逆転するようにしている。施錠用ソレノイド５１とモータ６７の停止はタイマーによって制御され、施錠用ソレノイド５１とモータ６７が停止すると、ピニオンギヤ６５も戻しばね６２により元の位置に復帰されるのである。駆動ばね３のばね力に抗して駆動手段２を所定の位置まで回転させる必要があり、ウオームギヤ６６とホイールギヤ６３を用いて減速している。
【００５０】
次に、図７乃至図１７を用いて鍵保管ボックス７７について説明する。ボックス７７は金属材料でできており、鍵穴７８と扉７９を開閉するハンドル８０と電波通過穴８１が形成されている。電波通過穴８１は、銘板となる合成樹脂の成形品のカバー８２で閉塞されており、電波が通過されるようになっている。
【００５１】
鍵保管ボックス７７の内部には地震自動解錠装置Ａの感震駆動装置１と、ベル発停アタッチメント８３と、物置小屋の鍵をかける鍵フック８４と、電波通過穴８１と対面する位置に設けられたリモコン受信器８５と、警報ベル８６と、充電コントローラー８７と、制御部８８と、バッテリー８９とが収納されている。
【００５２】
鍵保管ボックス７７の扉７９には扉７９の施解錠装置Ｂが設けられている。施解錠装置Ｂは、索条Ｓの一端部が固定されたスライド板９０と、索条Ｓを引き出し自在に挿入した索条ケーブル９１を固定する固定具９２を固定する固定板９３と、施錠状態でスライド板９０を索条Ｓの一端部側に付勢するばね体９４と、スライド板９０にねじ９５により固定された断面形状Ｌ字形の規制板９６と、鍵の操作により回動する解錠押金９７と、解錠押金９７及び鍵穴台９８を扉７９に取り付けるねじ９９と、スライド板９０をスライド自在に支持する長溝がスライド方向に形成された支持板１００と、扉７９を鍵保管ボックス７７の本体１０１に係止する係止棒１０２と、係止棒１０２を上下動させて扉７９を鍵保管ボックス７７の本体１０１に係止させたり係止状態を解除するようハンドル８０に固定された錠止板１０３と、錠止板１０３に固定されて施錠状態では規制板９６に当接してハンドル８０の操作を阻止し、解錠状態では規制板９６に当接しないでハンドル８０の操作を可能とし、扉７９を開くことを可能とする掛止片１０４と、係止棒１０２の上下動をガイドする案内部１０５とで構成されている。鍵保管ボックス７７の扉７９に施解錠装置Ｂが設けるのであるが、最後に固定板９３に固定具９２を固定することで、索条ケーブル９１を施解錠装置Ｂに取り付け、索条Ｓの一端部をスライド板９０に形成されたが開口部に挿入するとともに、かしめ環１０６でかしめることで組み立てが完了するものであり、構成が簡単であり、組み立ても容易である。
【００５３】
図１３は、施錠状態を示すものであり、ばね体９４は伸びた状態であり、規制板９６は掛止片１０４側に移動している。この状態ではハンドル８０を操作して掛止片１０４を回動させようとしても規制板９６に当接するのであり、扉７９を開くことができない。図１４は、解錠状態を示すものであり、鍵穴７８に挿入した鍵を操作することで解錠押金９７の先端で規制板９６を押して掛止片１０４が規制板９６に当接しないようにしているので、扉７９を開くことができるのであり、図１５に示すように、ハンドル８０を操作することにより錠止板１０３を回転させて係止棒１０２を上方に移動させて扉７９と鍵保管ボックス７７の本体１０１との係止状態を解除し、扉７９を開放することができるのである。図１３の施錠状態では鍵穴７８は水平状態になっていて、鍵穴７８に鍵を挿入したり、鍵穴７８から鍵を抜くことができるのであるが、この時、解錠押金９７は図１３に示すように垂直状態になっているのであり、鍵穴７８から鍵を抜いた鍵保管ボックス７７の施錠状態では解錠押金９７は図１３に示すように垂直状態になっており、解錠押金９７は鍵の操作に追従して垂直位置と水平位置との間で回動するようになっている。
【００５４】
図１６は、鍵保管ボックス７７が施錠された状態でリモコンＲを操作して施解錠装置Ｂを解錠状態にした図であり、索条Ｓを引っ張った状態図である。この状態では破線で示すように、掛止片１０４が規制板９６に当接しない（Ａ部参照）ので、ハンドル８０を操作して扉７９を開放することができるのであり、ばね体９４は圧縮されている。図１７は、リモコンＲを操作して施錠状態にした図であり、索条Ｓがばね体９４により引っ張られるとともに、掛止片１０４が規制板９６に当接する位置まで規制板９６を移動させた状態図である。この状態では破線で示すように、掛止片１０４が規制板９６に当接（Ａ部参照）し、ハンドル８０を操作して扉７９を開放することができないのである。
【００５５】
次に、図１８を用いて回路図について説明する。回路にはバッテリー８９からＤＣ１２Ｖが架電されている。リモコンＲで解錠信号を送信すると、遠隔スイッチ（解錠）１０８が動作し、解錠用ソレノイド４４を駆動するのである。また、リモコンＲで施錠信号を送信すると、遠隔スイッチ（施錠）１０９が動作し、施錠用ソレノイド５１を駆動するとともに、モータ６７を駆動するのである。モータ６７が駆動してカム７１がマイクロスイッチ７０を操作すると、ストッパーアーム２０のフック部１９の凹所にストッパー１８が完全に嵌合するようタイマー（Ｔ２）１０７で３秒間モータ６７が逆転するように構成している。制御部８８には遠隔スイッチ（解錠）１０８、遠隔スイッチ（施錠）１０９、タイマー（Ｔ２）１０７などから構成されており、リモコンＲからの解錠信号及び施錠信号を受信して所定の動作をするように構成されている。解錠用ソレノイド４４、施錠用ソレノイド５１、モータ６７などの電源は、バッテリー８９であるが、バッテリー８９への電気の補充は、太陽電池で行っており、避難方向指示装置やパトライト（登録商標）などを設置し、それらへの電源として活用しても構わないものである。
【００５６】
次に、図１９乃至図２８を用いて、リモコンＲの操作方法について説明する。地震自動解錠装置の感震駆動装置の前記施解錠装置を解錠と施錠とを行うことができるアプリケーションを備えたリモコンに予め設定された暗証番号を入力して所定の操作をすることで、図１９に示すように、複数の地震自動解錠装置の感震駆動装置に対し、解錠と施錠が１台のリモコンＲで可能であり、同一の暗証番号でも構わないものである。リモコンＲに同上のアプリケーションを入れると、図２０に示す画面を得ることができ、この画面で地震自動解錠装置の感震駆動装置が現在、解錠中なのか施錠中なのかを知ることができるとともに、解錠中であればリモコンＲの「施錠」ボタンを押すことで感震駆動装置を施錠状態にするとともに、施錠中であればリモコンＲの「解錠」ボタンを押すことで感震駆動装置を解錠状態にすることができるものである。図２１は初期化処理フローを示すものであり、図２２は初期化処理の概略フローを示すものであり、図２３は定期処理の概略フローを示すものである。図２４はアプリケーション使用時における表示メッセージを示すものであり、このメッセージに応じて処理を行うことでリモコンＲの使用が可能となるものであり、図２５はアプリ起動後の画面図、図２６は自分で設定したパスワード入力用の画面図、図２７は施解錠操作画面図で現状の状態表示部が設けられている。図２８はパスワード認証画面図であり、これらの画面に基づいて所定の処理を行いことでリモコンの使用が可能となるのである。
【００５７】
実施例では、地震自動解錠装置の感震駆動装置を解錠と施錠とを行うことができるアプリケーションを備えた使用者のスマートホーンのようなリモコンに所定の暗証番号を入力することでリモコンを用いて地震自動解錠装置の感震駆動装置の解錠と施錠を行うようにしているが、これに代えて、感震駆動装置の解錠を希望する希望者が合鍵を管理している管理者に電話をすることで感震駆動装置の解錠及び施錠を依頼し、地震自動解錠装置の感震駆動装置を解錠と施錠とを行うことができるアプリケーションを備えた管理者のスマートホーンを用いて直接遠隔操作により、感震駆動装置を解錠及び施錠ができるようにしても構わないものであり、このようにすることで、感震駆動装置を解錠と施錠とを行うことができるアプリケーションの暗証番号を変更する必要がないので、暗証番号の管理が簡単にできる。アプリケーションを備えたリモコンは、パソコンでも構わないものであり、パソコンで集中的に管理し、地震が発生した時に解錠状態にあるのか施錠状態にあるのかを把握し、必要に応じて全部の施解錠装置Ｂを施錠したり解錠ができるようにしたり個々の施解錠装置Ｂを施錠したり解錠ができるようにしても構わないものである。
【００５８】
先行技術文献の特開２０１４−８４６６０号公報に詳細を記すが、貫抜からなる錠を地震発生と同時に自動的に解錠する地震自動解錠装置にも本発明を適用できるものである。
【００５９】
地震自動解錠装置の感震駆動装置は、本願特許の発明者が発明した先行技術文献に列挙した特開２０１０−２２２８４３号公報、特開２０１１−１７８８号公報、登録実案第３１４４５０９号、登録実案第３１４８８１０号に開示された構造のものに、本発明と同様の地震の振動により少なくとも上下動又は揺動する錘を設けたものでも構わないものである。
【符号の説明】
【００６０】
Ａ  地震自動解錠装置
Ｂ  施解錠装置
Ｒ  リモコン
１  感震駆動装置
２  駆動手段
３  駆動ばね
４  保持手段
５  軸支部
６  解除手段
７  操作手段
８  錘
９  ベース
１０  リモコン解錠手段
１１  リモコン施錠手段
１２  リモコン施解錠手段
【図１】
2017066841.tif 000003
【図２】
2017066841.tif 000004
【図３】
2017066841.tif 000005
【図４】
2017066841.tif 000006
【図５】
2017066841.tif 000007
【図６】
2017066841.tif 000008
【図７】
2017066841.tif 000009
【図８】
2017066841.tif 000010
【図９】
2017066841.tif 000011
【図１０】
2017066841.tif 000012
【図１１】
2017066841.tif 000013
【図１２】
2017066841.tif 000014
【図１３】
2017066841.tif 000015
【図１４】
2017066841.tif 000016
【図１５】
2017066841.tif 000017
【図１６】
2017066841.tif 000018
【図１７】
2017066841.tif 000019
【図１８】
2017066841.tif 000020
【図１９】
2017066841.tif 000021
【図２０】
2017066841.tif 000022
【図２１】
2017066841.tif 000023
【図２２】
2017066841.tif 000024
【図２３】
2017066841.tif 000025
【図２４】
2017066841.tif 000026
【図２５】
2017066841.tif 000027
【図２６】
2017066841.tif 000028
【図２７】
2017066841.tif 000029
【図２８】
2017066841.tif 000030